(57)【特許請求の範囲】
【請求項１】
大便器のリム直下でボウル内面に沿って略水平にボウル部の後方側部より前方に洗浄水を供給する１つのノズルと、洗浄水をボウル全周に導くボウル内面に沿った棚と、を備えた大便器装置において、前記棚は前記ボウル部の側部では略水平で、前方部および後方部ではボウル部中央に向かって傾斜し、前記１つのノズルから噴出した洗浄水が前記棚に沿って略一周旋回することを特徴とする大便器装置。
【発明の詳細な説明】
【技術分野】
【０００１】
本発明は大便器装置の改良に関するものである。
【背景技術】
【０００２】
従来、大便器装置のボウル洗浄は大便器のリム直下でボウル内面に沿って略水平にボウル側部より前方に洗浄水を供給するノズルにより洗浄水を吐水し、洗浄水をボウル全周に導くボウル内面に沿った均一な幅の棚を伝いながら、ボウル内へ洗浄水が流下することによって行われていた。
【発明の開示】
【発明が解決しようとする課題】
【０００３】
前記した従来の大便器装置の場合、ボウルの内面形状が前方では曲率が大きく、したがって、洗浄水に遠心力がつきすぎ、洗浄水のボウル外への飛び出したり飛び散ったりという不具合があった。また、洗浄水を伝わせる棚が均一なため、ボウルの各部位で均一にボウルへ洗浄水を流下させることができず、ボウルを十分に洗えないという不具合があった。上記問題は、特に給水源を水道の圧力を利用した大便器の場合、水圧の変動により洗浄水の勢いが変動するため、さらに重大な問題となった。
本発明は、上記課題を解決するためになされたもので、本発明の目的は、大便器のリム直下でボウル内面に沿って略水平にボウル側部より前方に洗浄水を供給するノズルを備えた大便器装置において、洗浄水のボウル外への飛び出しおよび飛散りをなくし、またボウルの洗浄性能を向上させることを特徴とする大便器装置を提供することにある。
【課題を解決するための手段】
【０００４】
上記目的を達成するために本発明の大便器装置は、大便器のリム直下でボウル内面に沿って略水平にボウル側部より前方に洗浄水を供給するノズルを備えた大便器装置において、ボウル上面開口部の間で構成されるリム幅を、側部より前方に行くにつれて大きくしたので、大便器装置のボウル内面前方部は曲率が小さくなり、洗浄水の遠心力が小さくなり、ボウル前方部での洗浄水のボウル外への飛び出しおよび飛散りを小さくすることができる。
【０００５】
また、上記目的を達成するために本発明の大便器洗浄装置は、大便器のリム直下でボウル内面に沿って略水平にボウル側部より前方に洗浄水を供給するノズルと洗浄水をボウル全周に導くボウル内面に沿った棚とを備えた大便器装置において、前記棚の幅をボウル全周にわたって不均一にしたので、洗浄水のボウルへの流下量の制御を棚の幅をかえることでできる。つまり、ボウルへの洗浄水の流下が少なく洗浄が弱い個所でも、棚幅の変更で容易にボウル洗浄性能の改善が行える。
【０００６】
また、上記目的を達成するために本発明の大便器洗浄装置は、大便器のリム直下でボウル内面に沿って略水平にボウル側部より前方に洗浄水を供給するノズルと洗浄水をボウル全周に導くボウル内面に沿った棚とを備えた大便器装置において、前記棚の幅をボウル前方側で最小にしたので、ボウル内面で曲率が比較的大きく洗浄水の遠心力が大きく、ボウルに洗浄水が流下し難い前方で、棚の幅が最小となることで、洗浄水が流下し易くなり、ボウル洗浄性能を改善できる。
【０００７】
また、上記目的を達成するために本発明の大便器洗浄装置は、大便器のリム直下でボウル内面に沿って略水平にボウル側部より前方に洗浄水を供給するノズルと洗浄水をボウル全周に導くボウル内面に沿った棚とを備えた大便器装置において、前記棚をボウル前方側でなくしたので、ボウル内面で曲率が比較的大きく洗浄水の遠心力が大きく、ボウルに洗浄水が流下し難い前方で、棚の幅が最小となることで、洗浄水が流下し易くなり、ボウル洗浄性能を改善できる。
【０００８】
また、上記目的を達成するために本発明の大便器洗浄装置は、大便器のリム直下でボウル内面に沿って略水平にボウル側部より前方に洗浄水を供給するノズルと洗浄水をボウル全周に導くボウル内面に沿った棚とを備えた大便器装置において、前記棚の幅を後方に側部より後方を小さくしたので、洗浄水の勢いが弱いボウル後方で積極的に洗浄水をボウルに流下し、ボウル洗浄性能を改善できる。
【０００９】
さらに、上記目的を達成するために本発明の大便器洗浄装置は、大便器のリム直下でボウル内面に沿って略水平にボウル側部より前方に洗浄水を供給するノズルと洗浄水をボウル全周に導くボウル内面に沿った棚とを備えた大便器装置において、前記棚をボウル後方でなくしたので、洗浄水の勢いが弱いボウル後方で積極的に洗浄水をボウルに流下し、ボウル洗浄性能を改善できる。
【００１０】
さらに、上記目的を達成するために本発明の大便器洗浄装置は、大便器のリム直下でボウル内面に沿って略水平にボウル側部より前方に洗浄水を供給するノズルと洗浄水をボウル全周に導くボウル内面に沿った棚とを備えた大便器装置において、前記棚にはボウル中央付近を向くように線状の突起形状を設けたので、洗浄水のボウルへの流下量の制御を線状の凸形状の位置高さをかえることでできる。つまり、ボウルへの洗浄水の流下が少なく洗浄が弱い個所でも、線状の凸形状を設け、積極的に洗浄水をボウルへ流下させるようにすることで、容易にボウル洗浄性能の改善が行える。
【００１１】
さらに、上記目的を達成するために本発明の大便器洗浄装置は、大便器のリム直下でボウル内面に沿って略水平にボウル側部より前方に洗浄水を供給するノズルと洗浄水をボウル全周に導くボウル内面に沿った棚とを備えた大便器装置において、前記棚はボウル中央へ向かって傾斜しており、傾斜角度をボウル全周にわたって不均一にしたので、洗浄水のボウルへの流下量の制御を棚の傾斜角度をかえることでできる。つまり、ボウルへの洗浄水の流下が少なく洗浄が弱い個所でも、棚の傾斜角度を大きくすることで容易にボウル洗浄性能の改善が行える。
【発明の効果】
【００１２】
本発明によれば、大便器のリム直下でボウル内面に沿って略水平にボウル側部より前方に洗浄水を供給するノズルを備えた大便器装置において、ボウル上面開口部の間で構成されるリム幅を、側部より前方に行くにつれて大きくしたので、大便器装置のボウル内面前方部は曲率が小さくなり、洗浄水の遠心力が小さくなり、ボウル前方部での洗浄水のボウル外への飛び出しおよび飛散りを小さくすることができる。
【００１３】
また、本発明によれば、洗浄水のボウルへの流下量の制御を棚の傾斜角度をかえることでできる。つまりボウルへの洗浄水の流下が少なく洗浄が弱い場所でも、棚の傾斜角度を大きくすることで容易にボウル洗浄性能の改善が行える。つまり、ボウル内面で曲率が比較的大きく洗浄水の遠心力が大きくボウルに洗浄水が流下し難い前方部及び後方部でも棚をボウル中央に向かって傾斜させた構成とし、さらに棚にボウル中央付近を向くように凸形状を設けた構成としたため、洗浄水が流下し易くなり、ボウル洗浄性能を改善できる。
【発明を実施するための最良の形態】
【００１４】
本発明に係わる第一の実施形態について説明する。図１は第一の実施例の大便器装置をボウル洗浄時の洗浄水の流れを示した図である。大便器装置１には、大便器のリム１５直下でボウル部１１の内面に沿って略水平にボウル部１１の側部より前方に洗浄水を供給するノズル２１が取付けられ、前記ノズル２１は給水源である水道管２３に接続され、水道管２３からノズル２１までの間に開閉バルブ２２が設けられている。開閉バルブ２２は電気式・メカ式いずれでも良く、電気式の場合は開閉バルブの開閉を制御する制御部（図示せず）へと接続されている。本実施例では給水源は、水道圧を利用したものとしているが、タンク式でも加圧ポンプ式でも何であっても良い。
【００１５】
また、ボウル部１１のノズル２１が取付けられている高さより若干したの位置には、ノズル２１より吐水された洗浄水をボウル部１１へ全周へ導くための棚１４を設け、棚の上方には棚１４を覆うようなリム形状１５が形成されている（図２）。また、この棚形状およびリム形状は、図６のようなタイプのリム形状でも良い。さらに、本実施例では、図３に示す如く大便器装置外形形状１２とボウル内面形状１３の間のリム１５の幅を、側部より前方に行くにつれて大きくなるように構成されている。
【００１６】
本発明に係わる第一の実施例によると、大便器装置１のボウル内面１３の前方部は通常曲率が大きく、洗浄水の流速エネルギを損失してしまうが、本実施例では曲率が小さくなり、洗浄水がスムーズに伝わるようになり、その結果給水源の圧力が低圧の場合でも、ボウル後端部まで洗浄水が伝わり、ボウル洗浄を行うことができる。また、大便器装置１のボウル内面１３の前方部は通常曲率が大きく、なおかつ流速が非常に速いため、洗浄水が飛び出す可能性があるが、本実施例では曲率が小さくなり、洗浄水の遠心力が小さくなり、ボウル前方部での洗浄水のボウル外への飛び出しおよび飛散りを小さくすることができる。
【００１７】
本発明に係わる第二の実施形態について説明する。図４は第二の実施例の大便器装置をボウル洗浄時の洗浄水の流れを示した図である。大便器装置１には、大便器のリム１５直下でボウル部１１の内面に沿って略水平にボウル部１１の側部より前方に洗浄水を供給するノズル２１が取付けられ、前記ノズル２１は給水源である水道管２３に接続され、水道管２３からノズル２１までの間に開閉バルブ２２が設けられている。開閉バルブ２２は電気式・メカ式いずれでも良く、電気式の場合は開閉バルブの開閉を制御する制御部（図示せず）へと接続されている。本実施例では給水源は、水道圧を利用したものとしているが、タンク式でも加圧ポンプ式でも何であっても良い。
【００１８】
また、ボウル部１１のノズル２１が取付けられている高さより若干したの位置には、ノズル２１より吐水された洗浄水をボウル部１１へ全周へ導くための棚１４を設けており、棚の上方には棚を覆うようなリム形状１５が形成されている（図２）。また、この棚形状およびリム形状は、図６のようなタイプのリム形状でも良い。本実施例では、前記棚１４を図５の如く、前方部でなくした構成とする。また、図７に示すようなタイプのリム形状で棚１４をなくして構成しても良い。本発明に係わる第二の実施例によると、ボウル１１内面で曲率が比較的大きく洗浄水の遠心力が大きくボウル１１に洗浄水が流下し難い前方で、棚１４の幅が最小となることで、洗浄水が流下し易くなり、ボウル洗浄性能を改善できる。
【００１９】
本発明に係わる第三の実施形態について説明する。図８は第三の実施例の大便器装置をボウル洗浄時の洗浄水の流れを示した図である。大便器装置１には、大便器のリム１５直下でボウル部１１の内面に沿って略水平にボウル部１１の側部より前方に洗浄水を供給するノズル２１が取付けられ、前記ノズル２１は給水源である水道管２３に接続され、水道管２３からノズル２１までの間に開閉バルブ２２が設けられている。開閉バルブ２２は電気式・メカ式いずれでも良く、電気式の場合は開閉バルブの開閉を制御する制御部（図示せず）へと接続されている。本実施例では給水源は、水道圧を利用したものとしているが、タンク式でも加圧ポンプ式でも何であっても良い。
【００２０】
また、ボウル部１１のノズル２１が取付けられている高さより若干したの位置には、ノズル２１より吐水された洗浄水をボウル部１１へ全周へ導くための棚１４を設けており、棚の上方には棚を覆うようなリム形状１５が形成されている（図９）。また、この棚形状およびリム形状は、図６のようなタイプのリム形状でも良い。さらに本実施例では、前記棚１４は側部では図９の如く略水平であり、また、前方部および後方部ではボウル中央に向かって傾斜させた構成とする。さらに、本実施例では、前記棚１４には前方部および後方部に、ボウル中央付近を向くように線状の凸形状を設けた構成とする（図８、図１０）。
【００２１】
本発明に係わる第三の実施例によると、ボウル１１内面で曲率が比較的大きく洗浄水の遠心力が大きくボウル１１に洗浄水が流下し難い前方部および後方部でも、棚１４をボウル中央に向かって傾斜させた構成とし、さらに棚１４にボウル中央付近を向くように凸形状を設けた構成としたため、洗浄水が流下し易くなり、ボウル洗浄性能を改善できる。
【産業上の利用可能性】
【００２２】
本発明の大便器は、一般家庭は勿論のことホテル、公共施設などの大便器として使用できる。
【図面の簡単な説明】
【００２３】
【図１】本発明の実施例の大便器装置の洗浄水の流れを示した図である。
【図２】本発明の実施例の大便器装置のリム部断面図である。
【図３】本発明の第一実施例の大便器装置の図である。
【図４】本発明の第二実施例の大便器装置の図である。
【図５】本発明の第二実施例の大便器装置のボウル前方部のリム部断面図である。
【図６】本発明の実施例の大便器装置の別のリム部断面図である。
【図７】本発明の実施例の大便器装置の別のリム部断面図である。
【図８】本発明の第三実施例の大便器装置の図である。
【図９】本発明の第三実施例の大便器装置のボウル側部のリム部断面図である。
【図１０】本発明の第三実施例の大便器装置のボウル前方部および後方部のリム部断面図である。
【符号の説明】
【００２４】
１…大便器装置
１１…ボウル部
１２…大便器装置外形形状
１３…ボウル内面形状
１４…棚
１５…リム
１６…洗浄水
１７…線状の凸形状
２１…ノズル
２２…開閉バルブ
２３…水道管
【図１】
0003636195.tif 000002
【図２】
0003636195.tif 000003
【図３】
0003636195.tif 000004
【図４】
0003636195.tif 000005
【図５】
0003636195.tif 000006
【図６】
0003636195.tif 000007
【図７】
0003636195.tif 000008
【図８】
0003636195.tif 000009
【図９】
0003636195.tif 000010
【図１０】
0003636195.tif 000011